(57)【要約】【課題】  小判の感光材料を大判の感光材料の搬送軌跡内で搬送しても、大判の感光材料に小判の感光材料から溶出したコーティング材が付着するのを防止し、画像の品質低下を防止することができる現像処理装置を提供することを課題とする。【解決手段】  現像処理液を貯留した現像処理液槽と、該現像処理液槽内の現像処理液にシート状の感光材料を浸漬して引き上げる動作を複数回行うように、大判及び小判の感光材料を搬送する搬送系とを備え、該搬送系は、感光材料を圧着搬送する搬送ローラ対が複数並設されて構成されると共に、小判の感光材料が大判の感光材料の搬送軌道内で搬送されるように構成された現像処理装置において、前記搬送ローラは、圧着搬送する小判の感光材料における搬送方向と直交する方向の両端部が通過する領域に、軸心方向に所定幅に設定されて周方向に延びる逃溝が形成されていることを特徴とする。【選択図】図３
2006023358.tif 000002
【特許請求の範囲】
【請求項１】
現像処理液を貯留した現像処理液槽と、該現像処理液槽内の現像処理液にシート状の感光材料を浸漬して引き上げる動作を複数回行うように、大判及び小判の感光材料を搬送する搬送系とを備え、該搬送系は、感光材料を圧着搬送する搬送ローラ対が複数並設されて構成されると共に、小判の感光材料が大判の感光材料の搬送軌道内で搬送されるように構成された現像処理装置において、前記搬送ローラ対の少なくとも何れか一方の搬送ローラは、圧着搬送する小判の感光材料における搬送方向と直交する方向の両端部が通過する領域に、軸心方向に所定幅に設定されて周方向に延びる逃溝が形成されていることを特徴とする現像処理装置。
【請求項２】
前記搬送系は、小判の感光材料を二枚並列にして搬送可能に構成され、前記逃溝が各小判の感光材料の両端部に対応して形成されてなる請求項１記載の現像処理装置。
【発明の詳細な説明】
【技術分野】
【０００１】
本発明は、露光処理されたシート状の感光材料を現像処理するための現像処理装置に関する。より詳しくは、現像処理液を貯留した現像処理液層を備え、該現像処理液層中の現像処理液に対して、感光材料を浸漬して引き上げる動作を複数回行うように感光材料を搬送する搬送系を備えた現像処理装置に関する。
【背景技術】
【０００２】
従来から、露光処理されたシート状の感光材料に現像処理を施す現像処理装置が周知である。かかる現像処理装置は、現像処理液を貯留した現像処理液槽と、該現像処理液槽内の現像処理液に対して感光材料を浸漬して引き上げる動作を複数回行うように、感光材料を搬送する搬送系とを備えている。
【０００３】
前記現像処理液槽は、異なる種類の現像処理液（現像液、漂白液、定着液、安定液等）を貯留して横並びに配設された複数の液槽で構成されている。
【０００４】
前記搬送系は、感光材料を圧着搬送する搬送ローラ対が複数配設されることで連続したＳ字状の搬送経路を形成しており、上述の如く、現像処理液槽内の現像処理液に対する浸漬と、該現像処理液からの引き上げとを繰り返し行い、該感光材料に対する現像処理、漂白処理、定着処理、安定処理を連続的にできるようになっている。該搬送系は、各搬送ローラ対間に感光材料を案内するガイド板が適宜配設され、感光材料に対する搬送安定性が高められており、感光材料の現像品質が安定するように構成されている。各搬送ローラは、圧着時に感光材料を傷めないように、外周面（表層）に弾性材（例えば、シリコンゴムやウレタンゴム）が装着されている。
【０００５】
また、該現像処理装置は、大判の感光材料、及び小判の感光材料に対して現像処理できるように構成されており、何れの感光材料においても両端縁が搬送方向に沿った姿勢で搬送するように構成されており、小判の感光材料に対して現像処理する場合には、大判の感光材料が通過する搬送軌道（領域）内で小判の感光材料を圧着搬送しつつ現像処理を行うようになっている。
【発明の開示】
【発明が解決しようとする課題】
【０００６】
ところで、大量処理が望まれる昨今において、感光材料に対する現像処理や、現像処理された感光材料（写真）の管理を行うべく、現像処理を行う前に感光材料の乳剤面の裏面（ベース面）に、数字や記号等による識別子を印字するようにしている。この識別子の印字（プリント）は、現像処理前に行われるため、感光材料を現像処理液に浸漬したときに印字が滲んだり、消えたりすることのないように、感光材料のベース面に、印字用インクの付着性を向上させるためのコーティングが施されている。
【０００７】
感光材料のベース面に対するコーティングの材質は、各社メーカー或いは感光材料の種類によって異なっており、感光材料によっては、現像処理液に浸漬することでコーティング材が軟化乃至溶出してしまうものがある。即ち、現像処理液は、現像液がアルカリ性であり、漂白液、及び安定液が酸性であるため、コーティング材に耐アルカリ性、或いは耐酸性のない樹脂等が採用されている場合には、現像処理液の浸漬によってコーティング材が軟化乃至溶出する場合があった。
【０００８】
その為、現像処理液から引き上げた感光材料を搬送ローラ対で圧着搬送したときに、コーティング材が感光材料の搬送方向に沿うように（感光材料の端縁に沿うように）、搬送ローラの外周面に対して線状をなして付着乃至堆積してしまう場合がある。
【０００９】
そうすると、上述の如く、従来の現像処理装置は、小判の感光材料が大判の感光材料の通過する搬送軌道内で搬送されるようになっているため、大判の感光材料を搬送ローラ対で搬送する際に、小判の感光材料の圧着搬送によって付着して堆積した線状の堆積物（コーティング材）が、大判の感光材料の画像に対して線状に転写（付着）されてしまい、該感光材料の画像の品質を低下させるといった問題があった。特に、夜景等の背景が黒色の画像が形成されている場合には、コーティング材の付着が顕著に表れてしまう。
【００１０】
そこで、本発明は、斯かる実情に鑑み、小判の感光材料を大判の感光材料の搬送軌跡内で搬送しても、大判の感光材料に小判の感光材料から溶出したコーティング材が付着するのを防止し、画像の品質低下を防止することができる現像処理装置を提供することを課題とする。
【課題を解決するための手段】
【００１１】
本発明に係る現像処理装置は、現像処理液を貯留した現像処理液槽と、該現像処理液槽内の現像処理液にシート状の感光材料を浸漬して引き上げる動作を複数回行うように、大判及び小判の感光材料を搬送する搬送系とを備え、該搬送系は、感光材料を圧着搬送する搬送ローラ対が複数並設されて構成されると共に、小判の感光材料が大判の感光材料の搬送軌道内で搬送されるように構成された現像処理装置において、前記搬送ローラ対の少なくとも何れか一方の搬送ローラは、圧着搬送する小判の感光材料における搬送方向と直交する方向の両端部が通過する領域に、軸心方向に所定幅に設定されて周方向に延びる逃溝が形成されていることを特徴とする。
【００１２】
上記構成の現像処理装置によれば、前記搬送ローラ対の少なくとも何れか一方の搬送ローラは、圧着搬送する小判の感光材料における搬送方向と直交する方向の両端部が通過する領域に、軸心方向に所定幅に設定されて周方向に延びる逃溝が形成されているので、該小判の感光材料の両端部が搬送ローラ対に圧着されることがなく、現像処理液の浸漬によって小判の感光材料からコーティング材が溶出しても搬送ローラの外周面にコーティング材が付着することがない。即ち、搬送ローラの外周面に所定幅に設定されて周方向に延びる逃溝が形成されれば、該逃溝部分の外径はその他の部分の外径よりも小径であるので、小判の感光材料は、両端部が搬送ローラ対に圧着されることなく逃溝以外の部分で圧着搬送されることになる。これにより、搬送ローラの外周面に小判の感光材料の両端から溶出するコーティング材が付着することがなく、小判の感光材料を大判の感光材料が通過する搬送軌道内で搬送するようにしても、大判の感光材料へのコーティング材の転写を防止することができ、感光材料に形成された画像の品質を低下させるのを防止することができる。
【００１３】
本発明に係る現像処理装置の一態様として、前記搬送系は、小判の感光材料を二枚並列にして搬送可能に構成され、前記逃溝が各小判の感光材料の両端部に対応して形成されてもよい。このようにすれば、並列で搬送される何れの小判の感光材料の端部も搬送ローラ対に圧着されることがなく、小判の感光材料から溶出したコーティングが搬送ローラに付着することが防止され、これによって大判の感光材料に対してコーティング材が再付着するのを防止することができる。即ち、大判の感光材料に対するコーティング材の付着を防止した上で、各感光材料の処理効率を高めることができる。
【発明の効果】
【００１４】
以上のように、本発明の現像処理装置によれば、小判の感光材料を大判の感光材料の搬送軌跡内で搬送しても、大判の感光材料に小判の感光材料から溶出したコーティング材が付着するのを防止し、画像の品質低下を防止することができる。
【発明を実施するための最良の形態】
【００１５】
以下、本発明の一実施形態に係る写真処理装置について、添付図面を参照して説明する。
【００１６】
本実施形態に係る写真処理装置は、図１に示す如く、該写真処理装置の操作を行う操作部１と、印画紙Ｐに露光処理を施す露光処理部２（露光処理装置）と、該露光処理部２で露光処理された印画紙Ｐを現像処理する現像処理部３（現像処理装置）と、該現像処理部３で現像処理された印画紙Ｐを乾燥処理する乾燥処理部４（乾燥装置）と、該乾燥処理部４で乾燥した印画紙Ｐをオーダー、及びサイズ毎に仕分けて回収する回収部５とで構成されている。
【００１７】
前記操作部１は、図２に示す如く、各処理の処理状況や操作案内等を表示するモニター１０と、該モニター１０の表示に基づいて入力操作を行うための入力装置１１と、ＣＤ−Ｒ／ＲＷやメモリーカード等のメディアＭ（図１参照）から画像データを読み込む読込装置１２と、写真フィルムに形成された駒画像を読み込むスキャナー装置１３と、入力装置１１からの入力データ、読込装置１２やスキャナー装置１３で読み込んだ画像データ等を適宜演算処理し、露光処理部２の動作等を制御する演算処理装置（ＣＰＵ１４０、ＲＯＭ１４１、ＲＡＭ１４２等）がマウントされた制御基板を内装したコンピュータ本体１４とを備えている。
【００１８】
前記モニター１０には、ブラウン管モニター或いは液晶モニターが採用され、本実施形態においてはブラウン管モニターが採用されている。前記入力装置１１には、キーボード１１０、及びマウス１１１が採用されている。本実施形態において、前記モニター１０、入力装置１１（キーボード１１０、マウス１１１）、読込装置１２、及びスキャナー装置１３は、Ｉ／Ｏインターフェイス１４３を介して前記コンピュータ本体１４（ＣＰＵ１４０）に接続されている。
【００１９】
前記露光処理部２は、ロール状にされた長尺な印画紙Ｐを収納する一対のマガジン２０ａ，２０ｂと、該マガジン２０ａ，２０ｂから引き出された印画紙Ｐを所定の長さで切断する切断装置２１と、該切断装置２１により切断された印画紙Ｐを下流に向けて搬送する搬送装置２２と、該搬送装置２２により搬送されてきた印画紙Ｐを露光処理する露光装置２３とで構成されている。また、該露光処理部２は、マガジン２０ａ，２０ｂから引き出された印画紙Ｐを下流側（前記現像処理部３）に搬送する第一搬送系を備えている。該第一搬送系は、各構成間に配設されて印画紙Ｐを圧着搬送する複数のローラ対２４で構成されている。
【００２０】
前記一対のマガジン２０ａ，２０ｂは、露光処理部２内の下部で横方向に並設されており、一方のマガジン２０ａには、一方の面を内側（乳剤面を外側）に位置させるようにロール状にされた幅の狭い長尺な印画紙Ｐが軸回りに回転可能に収納され、他方のマガジン２０ｂには、一方の面を内側（乳剤面を外側）に位置させるようにロール状にされた幅の広い（例えば、幅の狭い印画紙Ｐの略二倍、又は略三倍の幅の）印画紙Ｐが軸回りに回転可能に収納されている。
【００２１】
前記切断装置２１は、露光処理部２内の下部に配置された前記一対のマガジン２０ａ，２０ｂ間に位置して、前記一対のマガジン２０ａ，２０ｂのそれぞれの下流側に設けられている。該切断装置２１は、マガジン２０ａ，２０ｂから引き出された印画紙Ｐを切断すべく、互いに接離する一対のカッター２１０ａ，２１０ｂを備えている。
【００２２】
前記搬送装置２２は、前記切断装置２１の下流側（上方）に設けられている。該搬送装置２２は、搬送方向に対して直交方向に所定間隔を有し、上下方向に（切断装置２１から露光装置２３に向けて）配された一対のレール２２０と、該レール２２０に沿って移動する一対の搬送体２２１とで構成されている。
【００２３】
前記一対の搬送体２２１のそれぞれは、各レール２２０に摺動可能に設けられており、前記レール２２０の長手（上下）方向に対して直交方向で移動する横方向移動体（図示しない）を備えている。該横方向移動体は、印画紙Ｐを把持可能に構成されており、幅の狭い印画紙Ｐ（一方のマガジン２０ａから引き出され、切断装置２１で切断されて小判になった印画紙Ｐ：以下、小判印画紙Ｐｓという）を搬送する場合に、横方向に移動して先行する小判印画紙Ｐｓと、後続の小判印画紙Ｐｓの搬送系路を振り分け、これらの小判印画紙Ｐｓを搬送方向に対して直交する方向で並列状態にして搬送するようになっている。一方、幅の広い印画紙Ｐ（他方のマガジン２０ｂから引き出され、切断装置２１で切断されて大判になった印画紙Ｐ：以下、大判印画紙Ｐｂという）を搬送する際には、一対の搬送体２２１のそれぞれの横方向移動体で大判印画紙Ｐｂを把持して下流側に搬送するようになっている。本実施形態に係る写真処理装置は、大判印画紙Ｐｂが並列で搬送される小判印画紙Ｐｓの搬送軌道よりも広い領域（範囲）を通過するように設定されている。即ち、並列状態で搬送される小判印画紙Ｐｓが、大判印画紙Ｐｂの通過する搬送軌道内を通過するように設定されている。なお、以下の説明において、小判印画紙Ｐｓ及び大判印画紙Ｐｂの両者を表現する場合には、総称して単に印画紙Ｐということとする。
【００２４】
前記露光装置２３は、露光処理部２内の上部に設けられており、搬送中の印画紙Ｐの乳剤面を露光する露光ヘッド２３０と、該露光ヘッド２３０が印画紙Ｐの乳剤面を露光する露光領域を挟んで印画紙Ｐの搬送方向の上流側及び下流側（上下方向）のそれぞれに設けられた露光用搬送ローラ対２３１（一対の露光用搬送ローラ）とで構成されている。
【００２５】
前記露光ヘッド２３０は、ハロゲンランプ等からなる光源２３２と、該光源２３２に光ファイバー束２３３を介して接続された光シャッター２３４とで構成されており、該光シャッター２３４は、印画紙Ｐの搬送方向と直交したライン状をなし、搬送される印画紙Ｐ（小判印画紙Ｐｓ，大判印画紙Ｐｂ）の乳剤面と対向するように設けられている。
【００２６】
前記光シャッター２３４は、チタン酸ジルコン酸鉛にランタンを添加することにより得られる透光性電圧セラミックス、いわゆるＰＬＺＴで構成されており、該ＰＬＺＴは、所定レベルの電圧が印加されると光を透過させ得る状態となる一方、電圧の印加が停止されると光を遮断する性質を有している。つまり、光シャッター２３４は、読み込まれた画像データに基づいて、操作部１のＣＰＵ１４０から電圧の印加、及び印加の停止が指示され、光源２３２からの光の透過及び遮断が制御されて印画紙ＰにＲＧＢ各色の光を照射して露光し得るように構成されている。
【００２７】
前記露光用搬送ローラ対２３１のそれぞれは、露光中の印画紙Ｐを圧着した状態で下流側（現像処理部３）に向けて搬送するように構成されている。
【００２８】
なお、該写真処理装置は、印画紙Ｐ（写真）の管理情報を目視可能とすべく、印画紙Ｐの裏面側に文字や記号等を組み合わせた管理コードを印字する印字手段を有しており、本実施形態に係る印字手段は、露光処理後で且つ現像処理前に管理コードを印字できるように配置されている。該印字手段は、大判印画紙Ｐｂ及び小判印画紙Ｐｓの何れにおいても、搬送方向と直交する方向における略中央部分に、文字や記号を搬送方向に並べて印字するように構成されている。また、この印字が滲んだりすることのないように、本実施形態に係る印画紙Ｐには、乳剤面とは反対側の面にコーティングを施したものが採用される。
【００２９】
前記現像処理部３は、現像処理液が貯留される現像処理液槽３０と、該現像処理液槽３０内の現像処理液に対して印画紙Ｐを浸漬して引き上げる動作を繰り返すように、印画紙Ｐ（小判印画紙Ｐｓ、大判印画紙Ｐｂ）を搬送する現像処理部搬送系（搬送系：第二搬送系）３１とを備えている。
【００３０】
具体的に説明すると、現像処理液槽３０は、複数の液槽３００ａ，３００ｂ…が横並びに配置されることで構成されている。各液槽３００ａ，３００ｂ…には、印画紙Ｐに対して現像処理、漂白処理、定着処理、安定処理を行うための現像処理液が貯留されている。即ち、各液槽３００ａ，３００ｂ…には、上流側から順に現像液（ＣＤ）、漂白・定着液（ＢＦ）、安定液（ＳＴ）、洗浄液が貯留されている。なお、前記現像液は、アルカリ性の液であり、漂白・定着液及び安定液は、酸性の液である。
【００３１】
前記現像処理部搬送系３１は、現像処理液槽３０（各液槽３００ａ，３００ｂ…）の現像処理液（現像液、漂白・定着液、安定液、洗浄液）中で印画紙Ｐを搬送する液中搬送系３１０と、上流側から搬送されてくる印画紙Ｐ、即ち、露光処理部２から搬送されてきた印画紙Ｐ、又は各液槽３００ａ，３００ｂ…から引き上げられた印画紙Ｐを下流側で隣接する液槽３００ａ，３００ｂ…内に導きつつ搬送する外部搬送系３１１とで構成されている。
【００３２】
前記液中搬送系３１０は、複数の搬送ローラ対３１２…がＵ字状の搬送経路を形成するように所定間隔を有して配設されることで構成されている。これにより、液中搬送系３１０は、各液槽３００ａ，３００ｂ…内の現像処理液に対して印画紙Ｐを液中内に一旦浸漬した後に、引き上げるように搬送するようになっている。
【００３３】
外部搬送系３１１は、印画紙Ｐを圧着搬送する搬送ローラ対３１３…を備えており、最上流の液槽３００ａの上流側、及び各液槽３００ａ，３００ｂ…間に配設されている。各外部搬送系３１１は、液槽３００ａ，３００ｂ…内の液面よりも上方に位置しており、上流側（露光処理部２又は上流側の液槽３００ａ，３００ｂ）から搬送されてくる印画紙Ｐを受け取り、下流側で隣接する液槽３００ａ，３００ｂ…内の現像処理液に向けて送り込むように構成されている。
【００３４】
より具体的に説明すると、図３に示す如く、最上流の液槽３００ａの上流側に配設された外部搬送系３１１は、露光処理部２から略水平方向に搬送されてきた印画紙Ｐの搬送方向を切り換え、該印画紙Ｐを下流側で隣接する最上流の液槽３００ａに導くプレート状のガイド体３１４を備えており、前記搬送ローラ対３１３は、ガイド体３１４で案内されている印画紙Ｐを下流側に向けて圧着搬送できるように配設されている。各液槽３００ａ，３００ｂ間に配設された外部搬送系３１１は、複数組（本実施形態においては二組）の搬送ローラ対３１３，３１３が、液槽３００ａ，３００ｂ…間を境界にして対称的に配置され、逆Ｕ字状の搬送経路を形成しており、液中搬送系３１０と共に連続したＳ字状の搬送経路を構成している。なお、本実施形態において、上流側の搬送ローラ対３１３の上流側、及び下流側の搬送ローラ対３１３の下流側には、プレート状のガイド体３１４が配設され、外部搬送系３１１を構成する搬送ローラ対３１３，３１３間には、逆Ｕ字状に湾曲した板状のガイド体３１４が配設されており、上流側から搬送されてくる（上流側の液槽３００ａ，３００ｂ…から引き上げられてくる）印画紙Ｐが逆Ｕ字状の搬送軌道をとるように、各ガイド体３１４で印画紙Ｐを案内しつつ、各搬送ローラ対３１３，３１３で圧着搬送できるようになっている。
【００３５】
液中搬送系３１０及び外部搬送系３１１を構成する各搬送ローラ対３１２，３１３（搬送ローラ３１２ａ，３１２ｂ，３１３ａ，３１３ｂ）は、外周面が弾性材（例えば、シリコンゴムやウレタンゴム）で構成されており、印画紙Ｐに対する圧着搬送性が高まるようになっている。また、各搬送ローラ３１２ａ，３１２ｂ，３１３ａ，３１３ｂは、図４に示す如く、圧着搬送する小判印画紙Ｐｓの両端部（搬送系３１による搬送方向に延びる端部）が通過する領域に、該小判印画紙Ｐｓの端部を非圧着状態にすべく、軸線方向に所定幅に設定されて周方向に延びる逃溝３２０が全周に亘って形成されている。これにより、該搬送ローラ３１２ａ，３１２ｂ，３１３ａ，３１３ｂは、小判印画紙Ｐｓの両端部を圧着することなく、逃溝３２０以外の外周面で小判印画紙Ｐｓを圧着搬送するようになっている。
【００３６】
本実施形態においては、小判印画紙Ｐｓを二列にして搬送するように構成されているので、前記搬送ローラ３１２ａ，３１２ｂ，３１３ａ，３１３ｂには、逃溝３２０が軸心方向に所定の間隔（小判印画紙Ｐｓの幅に対応した間隔）を有して四本設けられている。各逃溝３２０は、上述の如く軸心方向において所定幅に設定されており、これによって、小判印画紙Ｐｓが搬送ローラ３１２ａ，３１２ｂ，３１３ａ，３１３ｂの軸心方向でやや蛇行しても、該小判印画紙Ｐｓの端部が圧着されないようになっている。
【００３７】
さらに、各搬送ローラ対３１２，３１３には、搬送される大判印画紙Ｐｓ及び各小判印画紙Ｐｓの略中央に対応する領域（各逃溝３２０間の略中央部分）にも全周に亘って溝３２１（以下、この溝を印字逃溝という）が形成されており、大判印画紙Ｐｂ及び各小判印画紙Ｐｓの裏面（乳剤面とは反対側の面）に印字された管理コードを圧着するのを避けるように構成されている。
【００３８】
現像処理部搬送系３１は、以上のように構成されており、これにより、小判印画紙Ｐｓの両端部及び印字部分が搬送ローラ３１２ａ，３１２ｂ，３１３ａ，３１３ｂの外周面に接触することなく、印画紙Ｐを搬送ローラ対３１２…，３１３…の配置（Ｓ字状の搬送経路）に沿って搬送し、該印画紙Ｐにおける現像処理液への浸漬と現像処理液からの引き上げとを行って現像処理を行えるようになっている。
【００３９】
図１及び図２に戻り、前記乾燥処理部４は、現像処理部３から送られてきた印画紙Ｐを乾燥させる乾燥室４０と、該乾燥室４０内に熱風を送り出す熱風発生装置４１を収容した熱風発生装置収容部４２とに区画されている。前記乾燥室４０には、現像処理部３から送られてくる印画紙Ｐを受け取って下流側（回収部５）に向けて搬送する搬送系４３を備えたラックが着脱可能に内装されており、内部に印画紙Ｐが詰まった場合等にメンテナンス（詰まった印画紙Ｐの除去や清掃等）を行えるようになっている。
【００４０】
前記回収部５は、前記乾燥処理部４で乾燥処理された印画紙Ｐをサイズ毎に振り分ける前記振分装置５０と、該振分装置５０で振り分けた印画紙Ｐをオーダー毎に仕分ける仕分装置５１とで構成されている。
【００４１】
前記振分装置５０は、乾燥処理部４から搬送されてくる印画紙Ｐを振り分ける傾動可能な振分板５２を備えている。具体的には、搬送経路（乾燥処理部４）を通過した印画紙Ｐが小判印画紙Ｐｓであるか、大判印画紙Ｐｂであるかを上流側に配置されたセンサー（図示しない）が検知し、該検知結果に基づいて振分板５２の姿勢を変更させるようになっている。
【００４２】
センサーが小判印画紙Ｐｓを検知した場合には、振分板５２が略水平を維持し、小判印画紙Ｐｓの一方の面（ベース面）が振分板５２の上面を摺動した状態で下流側の前記仕分装置５１の後述するコンベア５４に向けて搬送される。
【００４３】
一方、センサーが大判印画紙Ｐｂを検知した場合には、振分板５２が傾動する。このように振分板５２の姿勢を変更させると、上流側（乾燥処理部４）から搬送されてきた大判印画紙Ｐｂの他方の面（乳剤面）が、傾動した振分板５２の下面に摺接し、大判印画紙Ｐｂの搬送経路が小判印画紙Ｐｓの搬送経路に比して下方に向けて切り替えられ、該大判印画紙Ｐｂが下流側に配置されたトレー５３に回収されるようになっている。
【００４４】
前記仕分装置５１は、小判印画紙Ｐｓの搬送方向に対して直交方向に移動する前記コンベア５４と、該コンベア５４によって運ばれてくる印画紙Ｐをオーダー毎に仕分ける仕分機構（図示しない）とで構成されている。
【００４５】
前記仕分機構は、上下方向に移動可能に配設された複数の受皿５５…を備えており、該受皿５５…が上下方向に移動することで、コンベア５４によって搬送されてくる小判印画紙Ｐｓを各受皿５５…にオーダー毎に振り分けるように構成されている。
【００４６】
次に、本実施形態にかかる写真処理装置の作動を説明する。該写真処理装置は、まずマガジン２０ａ，２０ｂに収容された印画紙Ｐが下流側に引き出され、切断装置２１（カッター２１０ａ，２１０ｂ）で所定サイズにカットされる。そして、カットされた印画紙が小判印画紙Ｐｓである場合には、搬送装置２２によって搬送経路が振り分けられ、各小判印画紙Ｐｓが並列状態で露光装置２３の露光領域に送り込まれて露光処理される。その一方で、カットされた印画紙Ｐが大判印画紙Ｐｂである場合には、搬送軌道（搬送中心）を変えることなくそのまま引き出し方向を維持しつつ露光装置２３の露光領域に送り込まれて露光処理される。その後、露光処理された印画紙Ｐ（小判印画紙Ｐｓ又は大判印画紙Ｐｂ）は、現像処理部３に送られ、各液槽３００ａ，３００ｂ…内の現像処理液に対する浸漬と引き上げとが繰り返されて現像処理が施される。
【００４７】
このように現像処理液に対する小判印画紙Ｐｓの浸漬及び引き上げが繰り返される際（液中搬送系３１０及び外部搬送系３１１によって搬送される際）において、図５に示す如く、並列状態にある各小判印画紙Ｐｓの両端部は、各逃溝３２０の存在によって圧着されることがなく、仮に現像処理液に対する浸漬で小判印画紙Ｐｓの裏面のコーティング材が両端から溶出しても、液中搬送系３１０及び外部搬送系３１１を構成する各搬送ローラ３１２ａ，３１２ｂ，３１３ａ，３１３ｂの外周面に付着することがない。また、小判印画紙Ｐｓの裏面の印字（管理コード等）についても、印字逃溝３２１の存在によって搬送ローラ３１２ａ，３１２ｂ，３１３ａ，３１３ｂに圧着されることがなく、印字が滲んで搬送ローラ３１２ａ，３１２ｂ，３１３ａ，３１３ｂの外周面に転写されてしまうことが防止される。
【００４８】
一方、大判印画紙Ｐｂが外部搬送系３１１によって搬送される際には、大判印画紙Ｐｂは、小判印画紙Ｐｓの通過した領域を含む搬送軌道内を通過することになるが、上述の如く、小判印画紙Ｐｓのコーティング材が搬送ローラ３１２ａ，３１２ｂ，３１３ａ，３１３ｂに付着していないため、大判印画紙Ｐｂに対して溶出したコーティング材が付着することなく、大判印画紙Ｐｂの画像の品質の低下が防止されることになる。
【００４９】
そして、上述の如く、小判印画紙Ｐｓ又は大判印画紙Ｐｂに対する現像処理を終えると、小判印画紙Ｐｓ又は大判印画紙Ｐｂは、乾燥処理部４に向けて搬送されることになる。
【００５０】
図２に戻り、現像処理部３から乾燥処理部４に送り込まれた印画紙Ｐは、乾燥温度（所定の温度雰囲気）に保った乾燥室４０内を搬送系４３によって下流側に搬送されつつ乾燥処理が施される。この際、印画紙Ｐの乳剤面は、送風ダクト４４の熱風吹出口と対向しており、乳剤面に熱風が強制的に吹き付けられた状態となっており、搬送系４３を介して前記回収部５に到達するまでに、印画紙Ｐに付着した現像処理液の水分が蒸発して乾燥することになる。そして、露光・現像・乾燥処理が施された印画紙Ｐは、回収部５においてサイズ毎、或いはオーダー毎に仕分けられ、単一の印画紙Ｐに対する一連の処理が完了する。
【００５１】
以上のように、規定の搬送経路上での小判印画紙Ｐｓの両端部の通過領域に対応するように、現像処理部搬送系（搬送系）３１の搬送ローラ３１２ａ，３１２ｂ，３１３ａ，３１３ｂの外周に、軸心方向において所定幅に設定された逃溝３２０を全周に亘って形成したので、仮に小判印画紙Ｐｓの裏面側のコーティング材が両端から溶出しても、該コーティング材が搬送ローラ３１２ａ，３１２ｂ，３１３ａ，３１３ｂに付着することがない。従って、大判印画紙Ｐｂの搬送軌道内に小判印画紙Ｐｓの搬送軌道をとるようにしても、大判印画紙Ｐｂに溶出したコーティング材が付着することが一切なく、これにより、小判印画紙Ｐｓ及び大判印画紙Ｐｂの何れに対しても高品質な画像を提供することができる。
【００５２】
また、現像処理部搬送系３１において小判印画紙Ｐｓを並列搬送するようにすると共に、該並列搬送される小判印画紙Ｐｓの各端部（搬送方向に延びる端部）に対応するように、複数（四本）の逃溝３２０を形成するようにしたので、小判印画紙Ｐｓの搬送効率を高めても、大判印画紙Ｐｂにコーティング材が付着するといった事態になるのを防止することができる。
【００５３】
さらに、管理コード等の印字を交わすように印字逃溝３２１を設けるようにしたので、仮に小判印画紙Ｐｓ及び大判印画紙Ｐｂの印字が滲んでも、該印字が搬送ローラ３１２ａ，３１２ｂ，３１３ａ，３１３ｂに転写するのを防止することができる。従って、印字手段による印字が何れかの印画紙Ｐに再度転写するのを防止することができる。
【００５４】
また、搬送ローラ３１２ａ，３１２ｂ，３１３ａ，３１３ｂの外周を、シリコンゴムやウレタンゴム等の弾性材で構成するようにしたので、上述の如く逃溝３２０や印字逃溝３２１を設けても、印画紙Ｐに圧着痕が付着することがない。つまり、逃溝３２０と搬送ローラ３１２ａ，３１２ｂ，３１３ａ，３１３ｂの外周の素材との組み合わせにより、コーティング材の再付着の防止と圧着痕の付着の防止とを達成することができる。
【００５５】
また、逃溝３２０を設けるだけで、小判印画紙Ｐｓから溶出したコーティング材の付着を防止することができるので、装置の構成が複雑化するのを抑えた上で、画像品質の低下を抑制することができる。
【００５６】
尚、本発明の現像処理装置は、上記実施形態に限定されるものではなく、本発明の要旨を逸脱しない範囲内において種々変更を加え得ることは勿論である。
【００５７】
上記実施形態において、現像処理装置を写真処理装置の一構成としたが、これに限定されるものではなく、現像処理装置を単独の装置として構成するようにしても勿論よい。
【００５８】
上記実施形態において、搬送ローラ対３１２，３１３の両方（印画紙Ｐを圧着する一対の搬送ローラ３１２ａ，３１２ｂのそれぞれ）に、小判印画紙Ｐｓの両端を躱すための逃溝３２０を形成するようにしたが、これに限定されるものではなく、搬送ローラ対３１２，３１３の何れか一方の搬送ローラ３１２ａ，３１２ｂ，３１３ａ，３１３ｂのみに逃溝３２０を形成するようにしてもよい。このようにしても、小判印画紙Ｐｓの端部が圧着されることがなく、小判印画紙Ｐｓから溶出したコーティング材が搬送ローラ３１２ａ，３１２ｂ，３１３ａ，３１３ｂに付着して大判印画紙Ｐｂに転写されるのを防止することができる。
【００５９】
上記実施形態において、小判印画紙Ｐｓを二枚並列で搬送するようにしたが、これに限定されるものではなく、例えば、小判印画紙Ｐｓを大判印画紙Ｐｂと同様に一列で搬送すようにしてもよい。この場合、一列で搬送される小判印画紙Ｐｓの両端部の通過する領域に対応して搬送ローラ３１２ａ，３１２ｂ，３１３ａ，３１３ｂの外周に所定幅の逃溝３２０を形成すればよい。また、小判印画紙Ｐｓを二列以上で並列に搬送しても勿論よく、この場合においても、各小判印画紙Ｐｓの両端部に対応するように、搬送ローラ３１２ａ，３１２ｂ，３１３ａ，３１３ｂの外周に逃溝３２０を形成すればよい。
【００６０】
上記実施形態において、裏面側にコーティングの施された印画紙Ｐを採用したが、これに限定されるものではなく、コーティングの施されていない印画紙Ｐであっても現像処理できることは勿論のことである。
【００６１】
また、上記実施形態において、印画紙Ｐの裏面に管理コードをプリントする印字手段を設けたが、これに限定されるものではなく、印字手段は必要に応じて設けるようにすればよい。従って、現像処理部搬送系を構成する搬送ローラ３１２ａ，３１２ｂ，３１３ａ，３１３ｂの印字逃溝３２１についても、印字手段の有無に応じて設けるようにすればよい。また、上記実施形態において、小判印画紙Ｐｓ及び大判印画紙Ｐｂの中央部分に管理コード等の識別子を印字するようにしたが、これに限定されるものではなく、例えば、何れか一端側に変位した位置に印字するようにしてもよい。この場合、印字逃溝３２１は、その印字位置に対応するように設ければよい。
【図面の簡単な説明】
【００６２】
【図１】本発明の一実施形態に係る写真処理装置の全体斜視図を示す。
【図２】同実施形態に係る写真処理装置の全体概念図を示す。
【図３】同実施形態に係る写真処理装置の現像処理部内に設けられた液中搬送系及び外部搬送系の概略構成図を示す。
【図４】同実施形態に係る液中搬送系及び外部搬送系を構成する搬送ローラ対の正面図を示す。
【図５】同実施形態に係る液中搬送系及び外部搬送系（搬送ローラ対）で印画紙を搬送する際の状況を説明する説明図を示す。
【符号の説明】
【００６３】
１…操作部、２…露光処理部、３…現像処理部、４…乾燥処理部、５…回収部、１０…モニター、１１…入力装置、１２…読込装置、１３…スキャナー装置、１４…コンピュータ本体、２０ａ，２０ｂ…マガジン、２１…切断装置、２２…搬送装置、２３…露光装置、２４…ローラ対、３０…現像処理液槽、３１…現像処理部搬送系（搬送系）、４０…乾燥室、４１…熱風発生装置、４２…熱風発生装置収容部、４３…搬送系、４４…送風ダクト、５０…振分装置、５１…仕分装置、５２…振分板、５３…トレー、５４…コンベア、５５…受皿、１１０…キーボード、１１１…マウス、１４０…ＣＰＵ、１４１…ＲＯＭ、１４２…ＲＡＭ、１４３…Ｉ／Ｏインターフェイス、２１０ａ，２１０ｂ…カッター、２２０…レール、２２１…搬送体、２３０…露光ヘッド、２３１…露光用搬送ローラ対、２３２…光源、２３３…光ファイバー束、２３４…光シャッター、３００ａ，３００ｂ…液槽、３１０…液中搬送系、３１１…外部搬送系、３１２，３１３…搬送ローラ対、３１２ａ，３１２ｂ，３１３ａ，３１３ｂ…搬送ローラ、３１４…ガイド体、３２０…逃溝、３２１…印字逃溝（溝）、Ｍ…メディア、Ｐ…小判印画紙，大判印画紙（印画紙：感光材料）
【図１】
2006023358.tif 000003
【図２】
2006023358.tif 000004
【図３】
2006023358.tif 000005
【図４】
2006023358.tif 000006
【図５】
2006023358.tif 000007